【手続補正書】
【提出日】平成20年9月16日(2008.9.16)
【手続補正１】
【補正対象書類名】明細書
【補正対象項目名】発明の名称
【補正方法】変更
【補正の内容】
【発明の名称】撮像装置、外部機器および撮影システムならびにそれらの制御方法、プログラム、記憶媒体
【手続補正２】
【補正対象書類名】特許請求の範囲
【補正対象項目名】全文
【補正方法】変更
【補正の内容】
【特許請求の範囲】
【請求項１】
外部機器により撮影機能の設定が可能な撮像装置であって、
前記外部機器を通信可能に接続する接続手段と、
前記撮影機能の設定を行う操作手段と、
前記外部機器により設定された撮影機能を設定する設定手段と、
前記外部機器による撮影機能の設定中に、前記操作手段による撮影機能の設定操作がなされた場合、撮影機能の設定が当該外部機器によって設定中である旨を表示するよう制御する表示制御手段と、を具備することを特徴とする撮像装置。
【請求項２】
前記外部機器による撮影機能の設定中に、前記操作手段による撮影機能の設定操作がなされた場合、その旨を外部機器に通知する通知手段を更に有することを特徴とする請求項１に記載の撮像装置。
【請求項３】
前記外部機器による撮影機能の設定中に、前記操作手段による撮影機能の設定操作がなされた場合、当該操作手段による設定操作を無効とする手段を更に備えることを特徴とする請求項１または２に記載の撮像装置。
【請求項４】
前記通知手段は、前記操作手段により設定された撮影機能を前記外部機器に通知することを特徴とする請求項２に記載の撮像装置。
【請求項５】
前記通知手段は、前記操作手段により設定された撮影機能が前記外部機器による前記撮影機能の設定を不可とする機能の場合、前記外部機器による設定が不可となったことを当該外部機器に通知することを特徴とする請求項２に記載の撮像装置。
【請求項６】
前記表示制御手段は、前記外部機器による撮影機能の設定中に、前記操作手段による撮影機能の設定操作がなされた場合、当該操作手段による設定操作があったことを表示することを特徴とする請求項２に記載の撮像装置。
【請求項７】
前記表示制御手段は、前記操作手段により変更された撮影機能の内容を表示することを特徴とする請求項６に記載の撮像装置。
【請求項８】
前記表示制御手段は、前記操作手段による撮影機能の設定が無効とされたことを表示することを特徴とする請求項３に記載の撮像装置。
【請求項９】
前記表示制御手段は、所定の時間だけ表示を行うことを特徴とする請求項２，６，７，８のいずれかに記載の撮像装置。
【請求項１０】
撮像装置に対して撮影機能の設定が可能な外部機器であって、
前記撮像装置を通信可能に接続する接続手段と、
前記撮影機能の設定を行う操作手段と、
前記撮像装置による撮影機能の設定中に、前記外部機器による撮影機能の設定操作がなされた場合、撮影機能の設定が当該撮像装置によって設定中である旨を表示するよう制御する表示制御手段と、を具備することを特徴とする外部機器。
【請求項１１】
外部機器と撮像装置とを接続した撮影システムであって、
前記撮像装置は、
前記外部機器を通信可能に接続する接続手段と、
前記撮影機能の設定を行う操作手段と、
前記外部機器により設定された撮影機能を設定する設定手段と、
前記外部機器による撮影機能の設定中に、前記操作手段による撮影機能の設定操作がなされた場合、撮影機能の設定が当該外部機器によって設定中である旨を表示するよう制御する表示制御手段と、を備え、
前記外部機器は、
前記撮像装置を通信可能に接続する接続手段と、
前記撮影機能の設定を行う操作手段と、
前記撮像装置による撮影機能の設定中に、前記外部機器による撮影機能の設定操作がなされた場合、撮影機能の設定が当該撮像装置によって設定中である旨を表示するよう制御する表示制御手段と、を備えることを特徴とする撮影システム。
【請求項１２】
外部機器を通信可能に接続する接続手段と、撮影機能の設定を行う操作手段と、を備え、前記外部機器により撮影機能の設定が可能な撮像装置の制御方法であって、
前記外部機器による撮影機能の設定中に、前記操作手段による撮影機能の設定操作がなされた場合、撮影機能の設定が当該外部機器によって設定中である旨を表示するよう制御する表示制御工程を備えることを特徴とする方法。
【請求項１３】
撮像装置を通信可能に接続する接続手段と、前記撮像装置に対して撮影機能の設定を行う操作手段と、を備える外部機器の制御方法であって、
前記撮像装置による撮影機能の設定中に、前記外部機器による撮影機能の設定操作がなされた場合、撮影機能の設定が当該撮像装置によって設定中である旨を表示するよう制御する表示制御工程を備えることを特徴とする方法。
【請求項１４】
外部機器と撮像装置とを接続し、当該外部機器により前記撮像装置の撮影機能の設定を可能とした撮影システムの制御方法であって、
前記撮像装置は、前記外部機器による撮影機能の設定中に、前記撮像装置の操作手段による撮影機能の設定操作がなされた場合、撮影機能の設定が当該外部機器によって設定中である旨を表示するよう制御する表示制御工程を備え、
前記外部機器は、前記撮像装置による撮影機能の設定中に、前記外部機器による撮影機能の設定操作がなされた場合、撮影機能の設定が当該撮像装置によって設定中である旨を表示するよう制御する表示制御工程を備えることを特徴とする方法。
【請求項１５】
請求項１２乃至１４のいずれか１項に記載の方法をコンピュータに実行させるためのプログラム。
【請求項１６】
請求項１５に記載のプログラムを記憶したことを特徴とするコンピュータ可読記憶媒体。
【手続補正３】
【補正対象書類名】明細書
【補正対象項目名】０００８
【補正方法】変更
【補正の内容】
【０００８】
上述した課題を解決し、目的を達成するために、本発明は、外部機器により撮影機能の設定が可能な撮像装置であって、前記外部機器を通信可能に接続する接続手段と、前記撮影機能の設定を行う操作手段と、前記外部機器により設定された撮影機能を設定する設定手段と、前記外部機器による撮影機能の設定中に、前記操作手段による撮影機能の設定操作がなされた場合、撮影機能の設定が当該外部機器によって設定中である旨を表示するよう制御する表示制御手段と、を具備する。
【手続補正４】
【補正対象書類名】明細書
【補正対象項目名】０００９
【補正方法】変更
【補正の内容】
【０００９】
また、本発明は、撮像装置に対して撮影機能の設定が可能な外部機器であって、前記撮像装置を通信可能に接続する接続手段と、前記撮影機能の設定を行う操作手段と、前記撮像装置による撮影機能の設定中に、前記外部機器による撮影機能の設定操作がなされた場合、撮影機能の設定が当該撮像装置によって設定中である旨を表示するよう制御する表示制御手段と、を具備する。
【手続補正５】
【補正対象書類名】明細書
【補正対象項目名】００１１
【補正方法】変更
【補正の内容】
【００１１】
また、本発明は、外部機器を通信可能に接続する接続手段と、撮影機能の設定を行う操作手段と、を備え、前記外部機器により撮影機能の設定が可能な撮像装置の制御方法であって、前記外部機器による撮影機能の設定中に、前記操作手段による撮影機能の設定操作がなされた場合、撮影機能の設定が当該外部機器によって設定中である旨を表示するよう制御する表示制御工程を備える。
【手続補正６】
【補正対象書類名】明細書
【補正対象項目名】００１２
【補正方法】変更
【補正の内容】
【００１２】
また、本発明は、撮像装置を通信可能に接続する接続手段と、前記撮像装置に対して撮影機能の設定を行う操作手段と、を備える外部機器の制御方法であって、前記撮像装置による撮影機能の設定中に、前記外部機器による撮影機能の設定操作がなされた場合、撮影機能の設定が当該撮像装置によって設定中である旨を表示するよう制御する表示制御工程を備える。
【手続補正７】
【補正対象書類名】明細書
【補正対象項目名】００１３
【補正方法】変更
【補正の内容】
【００１３】
また、本発明は、外部機器と撮像装置とを接続し、当該外部機器により前記撮像装置の撮影機能の設定を可能とした撮影システムの制御方法であって、前記撮像装置は、前記外部機器による撮影機能の設定中に、前記撮像装置の操作手段による撮影機能の設定操作がなされた場合、撮影機能の設定が当該外部機器によって設定中である旨を表示するよう制御する表示制御工程を備え、前記外部機器は、前記撮像装置による撮影機能の設定中に、前記外部機器による撮影機能の設定操作がなされた場合、撮影機能の設定が当該撮像装置によって設定中である旨を表示するよう制御する表示制御工程を備える。